【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
車室前部に配設され、少なくともその前縁部がフロントガラスの下縁部近傍に位置するインストルメントパネルに、導光性を有する照明部材を配置してなる車室内の照明装置であって、
上記インストルメントパネルには、車幅方向へ伸長し該インストルメントパネルの少なくとも一部を上下に区分けする段差部が設けられ、
該段差部では、当該段差部の上側に位置する段差上部面の後端部が、段差部の下側に位置する段差下部面の前端部よりも車両後方側へ張り出すように設定されており、
上記インストルメントパネルの上記段差部の近傍に装備部が設けられるとともに、
上記段差部の上記段差下部面の前端部近傍に上記照明部材が配設され、
該照明部材は、上記装備部を照射し、且つ、照明部材からの照明光が、車室の前席シートに着座した運転者の視界に直接に入らないように設定されており、
上記段差部の近傍に設けられた上記装備部は、上記段差下部面から車室内方へ突出する突出部を有する下部操作部であり、
上記前席シートに着座した運転者が上記フロントガラスに映り込んだ上記下部操作部を視認した際には、上記下部操作部の少なくとも上記突出部が、上記段差上部面で隠れるように設定されている、
ことを特徴とする車室内の照明装置。
【請求項２】
請求項１記載の車室内の照明装置において、
上記下部操作部は、上記段差上部面の色調よりも明るい色調に設定されていることを特徴とする車室内の照明装置。
【請求項３】
請求項１又は２に記載の車室内の照明装置において、
上記段差部は、インストルメントパネルのセンタコンソールに形成されていることを特徴とする車室内の照明装置。
【請求項４】
車室前部に配設され、少なくともその前縁部がフロントガラスの下縁部近傍に位置するインストルメントパネルに、導光性を有する照明部材を配置してなる車室内の照明装置であって、
上記インストルメントパネルには、車幅方向へ伸長し該インストルメントパネルの少なくとも一部を上下に区分けする段差部が設けられ、
該段差部では、当該段差部の上側に位置する段差上部面の後端部が、段差部の下側に位置する段差下部面の前端部よりも車両後方側へ張り出すように設定されており、
上記インストルメントパネルの上記段差部の近傍に装備部が設けられるとともに、
上記段差部の上記段差下部面の前端部近傍に上記照明部材が配設され、
該照明部材は、上記装備部を照射し、且つ、照明部材からの照明光が、車室の前席シートに着座した運転者の視界に直接に入らないように設定されているとともに、
上記段差下部面は、その前端部から後方に向かって斜め下方に傾斜する傾斜面を有しており、
上記段差部の近傍に設けられた上記装備部は、上記傾斜面を有する段差下部面に設けられた下部操作部であり、
上記前席シートに着座した運転者が上記フロントガラスに映り込んだ上記段差下部面を視認した際には、上記下部操作部が、上記段差上部面で隠れるように設定されている、
ことを特徴とする車室内の照明装置。
【手続補正２】
【補正対象書類名】明細書
【補正対象項目名】０００８
【補正方法】変更
【補正の内容】
【０００８】
このため、本願請求項１の発明（以下、第１の発明という）に係る車室内の照明装置は、車室前部に配設され、少なくともその前縁部がフロントガラスの下縁部近傍に位置するインストルメントパネルに、導光性を有する照明部材を配置してなる車室内の照明装置であって、上記インストルメントパネルには、車幅方向へ伸長し該インストルメントパネルの少なくとも一部を上下に区分けする段差部が設けられ、該段差部では、当該段差部の上側に位置する段差上部面の後端部が、段差部の下側に位置する段差下部面の前端部よりも車両後方側へ張り出すように設定されており、上記インストルメントパネルの上記段差部の近傍に装備部が設けられるとともに、上記段差部の上記段差下部面の前端部近傍に上記照明部材が配設され、該照明部材は、上記装備部を照射し、且つ、照明部材からの照明光が、車室の前席シートに着座した運転者の視界に直接に入らないように設定されており、上記段差部の近傍に設けられた上記装備部は、上記段差下部面から車室内方へ突出する突出部を有する下部操作部であり、上記前席シートに着座した運転者が上記フロントガラスに映り込んだ上記下部操作部を視認した際には、上記下部操作部の少なくとも上記突出部が、上記段差上部面で隠れるように設定されている、ことを特徴としたものである。
尚、上記「装備部」としては、例えば、オーディオ装置や空調装置など車載の電装品等の表示部や操作部材（ボタン，ダイヤル，スイッチ類など）、若しくはインストルメントパネルに設けられたカップホルダ，小物入れ，グローブボックス等の装備品あるいはその操作部材などが挙げられる。また、上記「下部操作部」としては、例えば、ボタン，ダイヤル，スイッチ類などの操作部材が挙げられる。
【手続補正３】
【補正対象書類名】明細書
【補正対象項目名】０００９
【補正方法】変更
【補正の内容】
【０００９】
また、本願請求項２の発明（以下、第２の発明という）は、上記第１の発明において、上記下部操作部は、上記段差上部面の色調よりも明るい色調に設定されていることを特徴としたものである。
【手続補正４】
【補正対象書類名】明細書
【補正対象項目名】００１０
【補正方法】変更
【補正の内容】
【００１０】
更に、本願請求項３の発明（以下、第３の発明という）は、上記第１又は第２の発明において、上記段差部は、インストルメントパネルのセンタコンソールに形成されていることを特徴としたものである。
【手続補正５】
【補正対象書類名】明細書
【補正対象項目名】００１１
【補正方法】変更
【補正の内容】
【００１１】
また更に、本願請求項４の発明（以下、第４の発明という）は、車室前部に配設され、少なくともその前縁部がフロントガラスの下縁部近傍に位置するインストルメントパネルに、導光性を有する照明部材を配置してなる車室内の照明装置であって、上記インストルメントパネルには、車幅方向へ伸長し該インストルメントパネルの少なくとも一部を上下に区分けする段差部が設けられ、該段差部では、当該段差部の上側に位置する段差上部面の後端部が、段差部の下側に位置する段差下部面の前端部よりも車両後方側へ張り出すように設定されており、上記インストルメントパネルの上記段差部の近傍に装備部が設けられるとともに、上記段差部の上記段差下部面の前端部近傍に上記照明部材が配設され、該照明部材は、上記装備部を照射し、且つ、照明部材からの照明光が、車室の前席シートに着座した運転者の視界に直接に入らないように設定されているとともに、上記段差下部面は、その前端部から後方に向かって斜め下方に傾斜する傾斜面を有しており、上記段差部の近傍に設けられた上記装備部は、上記傾斜面を有する段差下部面に設けられた下部操作部であり、上記前席シートに着座した運転者が上記フロントガラスに映り込んだ上記段差下部面を視認した際には、上記下部操作部が、上記段差上部面で隠れるように設定されている、ことを特徴としたものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本願の第１の発明によれば、インストルメントパネルに、車幅方向へ伸長してインストルメントパネルの少なくとも一部を上下に区分けし、上側に位置する段差上部面の後端部が下側に位置する段差下部面の前端部よりも車両後方側へ張り出すように設定された段差部が設けられ、導光性を有する照明部材は上記段差下部面の前端部近傍に配設されている。従って、例えばトンネル内走行時あるいは夜間走行時など、車室内の照明を要する場合には、上記照明部材からの照明光でインストルメントパネルを照明することにより、車室内全体を明るくしなくても、運転者は容易にインストルメントパネルの位置を認識することができる。
この場合において、上記照明部材は段差下部面の前端部近傍に配設されており、しかも、上側に位置する段差上部面の後端部が下側に位置する上記段差下部面の前端部よりも車両後方側へ張り出すように設定されており、照明部材からの照明光は段差部の奥まった箇所から照射されるので、主として段差下部面及び／又は段差上面部の折り返し面からの反射光により照明が行われることになる。つまり、間接照明となるので、直接照明の場合のように照明部分およびその近傍領域が過度に明るくなることを抑制でき、車室内をより落ち着いた和らいだ雰囲気にすることができる。しかも、上記照明部材からの照明光は、車室の前席シートに着座した運転者の視界に直接に入らないように設定されているので、当該運転者にとって照明が目障りになることがより有効に抑制される。すなわち、運転者にとって、照明が目に入って運転し辛くなることがより有効に回避できる。
更に、照明部材を段差下部面の前端部近傍に配設したことにより、インストルメントパネルの段差部の近傍に配置された装備部をより有効に照明することができる。
また、特に、上記装備部として、段差下部面から車室内方へ突出する突出部を有する下部操作部を備えた場合について、かかる下部操作部を有効に照明でき、しかも、前席シートに着座した運転者がフロントガラスに映り込んだ上記下部操作部を視認した際には、下部操作部の少なくとも上記突出部が段差上部面で隠れるので、例えばトンネル内走行時あるいは夜間走行時などにおいても、上記照明部材により照明された下部操作部の少なくとも上記突出部がフロントガラスやサイドガラスに反射して明るい色調で目立つように映り込むことが抑制され、かかる映り込みが運転者にとって目障りになることを抑制できる。
【手続補正９】
【補正対象書類名】明細書
【補正対象項目名】００１５
【補正方法】変更
【補正の内容】
【００１５】
また、本願の第２の発明によれば、基本的には上記第１の発明と同様の作用効果を奏することができる。特に、下部操作部が照明部材による間接照明に映え易くなるため、上記下部操作部の視認性を高めることができる。
【手続補正１０】
【補正対象書類名】明細書
【補正対象項目名】００１６
【補正方法】変更
【補正の内容】
【００１６】
更に、本願の第３の発明によれば、特に、インストルメントパネルのセンタコンソールに上記段差部を形成した場合について、上記第１又は第２の発明と同様の作用効果を奏することができる。
【手続補正１１】
【補正対象書類名】明細書
【補正対象項目名】００１７
【補正方法】変更
【補正の内容】
【００１７】
また更に、本願の第４の発明によれば、インストルメントパネルに、車幅方向へ伸長してインストルメントパネルの少なくとも一部を上下に区分けし、上側に位置する段差上部面の後端部が下側に位置する段差下部面の前端部よりも車両後方側へ張り出すように設定された段差部が設けられ、導光性を有する照明部材は上記段差下部面の前端部近傍に配設されている。従って、例えばトンネル内走行時あるいは夜間走行時など、車室内の照明を要する場合には、上記照明部材からの照明光でインストルメントパネルを照明することにより、車室内全体を明るくしなくても、運転者は容易にインストルメントパネルの位置を認識することができる。
この場合において、上記照明部材は段差下部面の前端部近傍に配設されており、しかも、上側に位置する段差上部面の後端部が下側に位置する上記段差下部面の前端部よりも車両後方側へ張り出すように設定されており、照明部材からの照明光は段差部の奥まった箇所から照射されるので、主として段差下部面及び／又は段差上面部の折り返し面からの反射光により照明が行われることになる。つまり、間接照明となるので、直接照明の場合のように照明部分およびその近傍領域が過度に明るくなることを抑制でき、車室内をより落ち着いた和らいだ雰囲気にすることができる。しかも、上記照明部材からの照明光は、車室の前席シートに着座した運転者の視界に直接に入らないように設定されているので、当該運転者にとって照明が目障りになることがより有効に抑制される。すなわち、運転者にとって、照明が目に入って運転し辛くなることがより有効に回避できる。
更に、照明部材を段差下部面の前端部近傍に配設したことにより、インストルメントパネルの段差部の近傍に配置された装備部をより有効に照明することができる。
また、特に、上記装備部として、上記傾斜面を有する段差下部面に設けられた下部操作部を備えた場合について、かかる下部操作部を有効に照明でき、しかも、前席シートに着座した運転者がフロントガラスに映り込んだ上記段差下部面を視認した際には、下部操作部が段差上部面で隠れるので、例えばトンネル内走行時あるいは夜間走行時などにおいても、上記照明部材により照明された下部操作部がフロントガラスやサイドガラスに反射して明るい色調で目立つように映り込むことが抑制され、かかる映り込みが運転者にとって目障りになることを抑制できる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】